(57)【要約】  遠隔制御装置によって制御可能なディスプレイ装置が開示される。本ディスプレイ装置は、遠隔制御装置と通信を行う通信部と、ディスプレイ装置で実行可能なアプリケーション別にマッピングされたＵｓｅｒ  Ｉｎｔｅｒｆａｃｅ（ＵＩ）画面情報を保存する保存部と、ユーザ命令に基づいて第１アプリケーションが実行されると、保存部に保存されたＵＩ画面情報のうち、第１アプリケーションに対応するＵＩ画面情報を遠隔制御装置に伝送するように制御する制御部とを含む。
2016506567.tif 000002
【特許請求の範囲】
【請求項１】
遠隔制御装置によって制御可能なディスプレイ装置において、
前記遠隔制御装置と通信を行う通信部と、
前記ディスプレイ装置で実行可能なアプリケーション別にマッピングされたＵｓｅｒ  Ｉｎｔｅｒｆａｃｅ（ＵＩ）画面情報を保存する保存部と、
第１アプリケーションが実行されると、前記保存部に保存されたＵＩ画面情報のうち、前記第１アプリケーションに対応するＵＩ画面情報を前記遠隔制御装置に伝送するように制御する制御部と
を含むディスプレイ装置。
【請求項２】
前記ＵＩ画面情報は、
前記第１アプリケーションをコントロールするための複数のキー及び前記複数のキーに関する配列情報を含むことを特徴とする請求項１に記載のディスプレイ装置。
【請求項３】
前記ＵＩ画面情報は、
前記第１アプリケーションをコントロールするための複数のキーを含むＵＩ画面イメージ及び前記ＵＩ画面イメージを構成する複数のキーに関する情報を含むことを特徴とする請求項１に記載のディスプレイ装置。
【請求項４】
前記制御部は、
現在実行中の前記第１アプリケーションが第２アプリケーションに変更されると、前記保存部に保存されたＵＩ画面情報のうち、前記第２アプリケーションに対応するＵＩ画面情報を前記遠隔制御装置に伝送するように制御することを特徴とする請求項１に記載のディスプレイ装置。
【請求項５】
ディスプレイ装置を制御する遠隔制御装置において、
ディスプレイ部と、
前記ディスプレイ装置と通信を行う通信部と、
前記ディスプレイ装置から実行中の第１アプリケーションに対応するＵＩ画面情報が受信されると、前記受信されたＵＩ画面情報に基づいて前記アプリケーションをコントロールするためのＵＩ画面をディスプレイする制御部と
を含み、
前記ＵＩ画面情報は、
前記ディスプレイ装置で実行可能なアプリケーション別にマッピングされることを特徴とする遠隔制御装置。
【請求項６】
前記制御部は、
前記ディスプレイ装置で実行中の第１アプリケーションが第２アプリケーションに変更されると、前記第２アプリケーションに対応するＵＩ画面情報を受信し、前記受信されたＵＩ画面情報に基づいて前記第２アプリケーションをコントロールするためのＵＩ画面をディスプレイすることを特徴とする請求項５に記載の遠隔制御装置。
【請求項７】
前記受信されたＵＩ画面情報を保存する保存部を更に含み、
前記制御部は、
前記ディスプレイ装置で前記第１アプリケーションの実行画面が再度ディスプレイされると、前記保存されたＵＩ画面情報を用いて前記ＵＩ画面をディスプレイすることを特徴とする請求項５に記載の遠隔制御装置。
【請求項８】
前記ＵＩ画面情報は、
前記第１アプリケーションをコントロールするための複数のキー及び前記複数のキーの配列情報を含むことを特徴とする請求項５に記載の遠隔制御装置。
【請求項９】
前記ＵＩ画面情報は、
前記第１アプリケーションをコントロールするための複数のキーを含むＵＩ画面イメージ及び前記ＵＩ画面イメージを構成する複数のキーに関する情報を含むことを特徴とする請求項５に記載の遠隔制御装置。
【請求項１０】
遠隔制御装置によって制御可能なディスプレイ装置のユーザインターフェース提供方法において、
第１アプリケーションを実行するステップと、
前記ディスプレイ装置で実行可能なアプリケーション別にマッピングされたＵＩ画面情報のうち、前記第１アプリケーションに対応するＵＩ画面情報を前記遠隔制御装置に伝送するステップと
を含むユーザインターフェース提供方法。
【請求項１１】
前記ＵＩ画面情報は、
前記第１アプリケーションをコントロールするための複数のキー及び前記複数のキーの配列情報を含むことを特徴とする請求項１０に記載のユーザインターフェース提供方法。
【請求項１２】
前記ＵＩ画面情報は、
前記第１アプリケーションをコントロールするための複数のキーを含むＵＩ画面イメージ及び前記ＵＩ画面イメージを構成する複数のキーに関する情報を含むことを特徴とする請求項１０に記載のユーザインターフェース提供方法。
【請求項１３】
前記伝送するステップは、
前記第１アプリケーションが第２アプリケーションに変更されると、前記ディスプレイ装置で実行可能なアプリケーション別にマッピングされたＵＩ画面情報のうち、前記第２アプリケーションに対応するＵＩ画面情報を前記遠隔制御装置に伝送することを特徴とする請求項１０に記載のユーザインターフェース提供方法。
【請求項１４】
ディスプレイ装置を制御する遠隔制御装置のユーザインターフェース提供方法において、
前記ディスプレイ装置から実行中の第１アプリケーションに対応するＵＩ画面情報を受信するステップと、
前記受信されたＵＩ画面情報に基づいて前記アプリケーションをコントロールするためのＵＩ画面をディスプレイするステップと
を含み、
前記ＵＩ画面情報は、
前記ディスプレイ装置で実行可能なアプリケーション別にマッピングされることを特徴とするユーザインターフェース提供方法。
【請求項１５】
前記ディスプレイ装置で実行中の第１アプリケーションが第２アプリケーションに変更されると、前記第２アプリケーションに対応するＵＩ画面情報を受信するステップと、
前記受信されたＵＩ画面情報に基づいて前記第２アプリケーションをコントロールするためのＵＩ画面をディスプレイするステップと
を更に含むことを特徴とする請求項１４に記載のユーザインターフェース提供方法。
【発明の詳細な説明】
【技術分野】
【０００１】
本発明は、ディスプレイ装置、遠隔制御装置及びこれらのユーザインターフェース提供方法に関し、より詳細には、ユーザ命令の入力を受けることができるユーザインターフェースを提供する遠隔制御装置によって制御されるディスプレイ装置、遠隔制御装置及びこれらのユーザインターフェース提供方法に関する。
【背景技術】
【０００２】
近年、電子技術の発展により、スマートテレビのようなディスプレイ装置は多様なアプリケーションを実行することができる。例えば、スマートテレビは、ＳＮＳ関連アプリケーション、ゲーム関連アプリケーション、スポーツ関連アプリケーション等を実行し、ユーザに多様なタイプのコンテンツと娯楽を提供することができる。
【０００３】
しかし、従来は、各アプリケーションごとにアプリケーションのコントロールに使用されるキー（または、ボタン）が相互異なるにもかかわらず、１つの遠隔制御装置を介して全てのアプリケーションを提供しようとした。それにより、遠隔制御装置の大きさが大きくなるため、使用が複雑になるという問題点があった。
【０００４】
よって、より簡単な方法でディスプレイ装置で実行可能なアプリケーション全てを制御するための方策への模索が求められるようになった。
【発明の概要】
【発明が解決しようとする課題】
【０００５】
そこで、本発明は、上記問題に鑑みてなされたものであり、本発明の目的とするところは、ディスプレイ装置で実行されるアプリケーション別にアプリケーションをコントロールすることができるＵＩ画面を提供することができるディスプレイ装置、遠隔制御装置及びこれらのユーザインターフェース提供方法を提供することにある。
【課題を解決するための手段】
【０００６】
以上のような目的を達成するための本発明の一実施形態に係る遠隔制御装置によって制御されるディスプレイ装置は、前記遠隔制御装置と通信を行う通信部と、前記ディスプレイ装置で実行可能なアプリケーション別にマッピングされたＵｓｅｒ  Ｉｎｔｅｒｆａｃｅ（ＵＩ）画面情報を保存する保存部と、ユーザ命令に基づいて第１アプリケーションが実行されると、前記保存部に保存されたＵＩ画面情報のうち、前記実行された第１アプリケーションに対応するＵＩ画面情報を前記遠隔制御装置に伝送するように制御する制御部とを含む。
【０００７】
ここで、前記ＵＩ画面情報は、前記第１アプリケーションをコントロールするための複数のキー及び前記複数のキーに関する配列情報を含んでよい。
【０００８】
なお、前記ＵＩ画面情報は、前記第１アプリケーションをコントロールするための複数のキーを含むＵＩ画面イメージ及び前記ＵＩ画面イメージを構成する複数のキーに関する情報を含んでよい。
【０００９】
そして、前記制御部は、前記第１アプリケーションが第２アプリケーションに変更されると、前記保存部に保存されたＵＩ画面情報のうち、前記第２アプリケーションに対応するＵＩ画面情報を前記遠隔制御装置に伝送するように制御してよい。
【００１０】
一方、本発明の一実施形態に係るディスプレイ装置を制御する遠隔制御装置は、ディスプレイ部と、前記ディスプレイ装置と通信を行う通信部と、前記ディスプレイ装置から実行中の第１アプリケーションに対応するＵＩ画面情報が受信されると、前記受信されたＵＩ画面情報に基づいて前記アプリケーションをコントロールするためのＵＩ画面をディスプレイする制御部とを含み、前記ＵＩ画面情報は、前記ディスプレイ装置で実行可能なアプリケーション別にマッピングされる。
【００１１】
ここで、前記制御部は、前記ディスプレイ装置で実行中の第１アプリケーションが第２アプリケーションに変更されると、前記第２アプリケーションに対応するＵＩ画面情報を受信し、前記受信されたＵＩ画面情報に基づいて前記第２アプリケーションをコントロールするためのＵＩ画面をディスプレイしてよい。
【００１２】
一方、本実施形態に係る遠隔制御装置は、前記受信されたＵＩ画面情報を保存する保存部を更に含み、前記制御部は、前記ディスプレイ装置で前記第１アプリケーションの実行画面が再度ディスプレイされると、前記保存されたＵＩ画面情報を用いて前記ＵＩ画面をディスプレイしてよい。
【００１３】
なお、前記ＵＩ画面情報は、前記アプリケーションをコントロールするための複数のキー及び前記キーの配列情報を含んでよい。
【００１４】
そして、前記ＵＩ画面情報は、前記第１アプリケーションをコントロールするための複数のキーを含むＵＩ画面イメージ及び前記ＵＩ画面イメージを構成する複数のキーに関する情報を含んでよい。
【００１５】
一方、本発明の一実施形態に係る遠隔制御装置によって制御可能なディスプレイ装置のユーザインターフェース提供方法は、第１アプリケーションを実行するステップと、前記ディスプレイ装置で実行可能なアプリケーション別にマッピングされたＵＩ画面情報のうち、前記第１アプリケーションに対応するＵＩ画面情報を前記遠隔制御装置に伝送するステップとを含む。
【００１６】
ここで、前記ＵＩ画面情報は、前記第１アプリケーションをコントロールするための複数のキー及び前記複数のキーに関する配列情報を含んでよい。
【００１７】
なお、前記ＵＩ画面情報は、前記第１アプリケーションをコントロールするための複数のキーを含むＵＩ画面イメージ及び前記ＵＩ画面イメージを構成する複数のキーに関する情報を含んでよい。
【００１８】
そして、前記伝送するステップは、前記第１アプリケーションが第２アプリケーションに変更されると、前記ディスプレイ装置で実行可能なアプリケーション別にマッピングされたＵＩ画面情報のうち、前記第２アプリケーションに対応するＵＩ画面情報を前記遠隔制御装置に伝送してよい。
【００１９】
一方、本発明の一実施形態に係るディスプレイ装置を制御する遠隔制御装置のユーザインターフェース提供方法は、前記ディスプレイ装置から実行中の第１アプリケーションに対応するＵＩ画面情報を受信するステップと、前記受信されたＵＩ画面情報に基づいて前記第１アプリケーションをコントロールするためのＵＩ画面をディスプレイするステップとを含み、前記ＵＩ画面情報は、前記ディスプレイ装置で実行可能なアプリケーション別にマッピングされる。
【００２０】
ここで、本実施形態に係るユーザインターフェース方法は、前記ディスプレイ装置で実行中の第１アプリケーションが第２アプリケーションに変更されると、前記第２アプリケーションに対応するＵＩ画面情報を受信するステップと、前記受信されたＵＩ画面情報に基づいて前記第２アプリケーションをコントロールするためのＵＩ画面をディスプレイするステップとを更に含んでよい。
【００２１】
なお、本実施形態に係るユーザインターフェース方法は、前記受信されたＵＩ画面情報を保存するステップと、前記ディスプレイ装置で前記第１アプリケーションの実行画面が再度ディスプレイされると、前記保存されたＵＩ画面情報を用いて前記ＵＩ画面をディスプレイするステップとを更に含んでよい。
【００２２】
そして、前記ＵＩ画面情報は、前記アプリケーションコントロールに必要なキー及び前記キーの配列情報を含んでよい。
【００２３】
なお、前記ＵＩ画面情報は、前記第アプリケーションをコントロールするための複数のキーを含むＵＩ画面イメージ及び前記ＵＩ画面イメージを構成する複数のキーに関する情報を含んでよい。
【発明の効果】
【００２４】
以上説明したように本発明によれば、遠隔制御装置にディスプレイされるＵＩ画面はディスプレイ装置で実行されるアプリケーションに応じて変更され、各アプリケーションコントロールのためのユーザ命令の入力を受けることができる。よって、遠隔制御装置は全てのアプリケーションを駆動するための別途のキーを含まなくてよいため、遠隔制御装置を使用するユーザの便宜性を向上することができる。
【図面の簡単な説明】
【００２５】
【図１】本発明の一実施形態に係るユーザインターフェース提供システムを説明するための図である。
【図２】本発明の一実施形態に係るディスプレイ装置の構成を説明するためのブロック図である。
【図３】本発明の一実施形態に係るディスプレイ装置の細部構成を説明するためのブロック図である。
【図４】本発明の一実施形態に係る遠隔制御装置の構成を説明するためのブロック図である。
【図５】本発明の一実施形態に係る遠隔制御装置の細部構成を説明するためのブロック図である。
【図６Ａ】本発明の一実施形態に係るユーザインターフェース提供方法を説明するための図である。
【図６Ｂ】本発明の一実施形態に係るユーザインターフェース提供方法を説明するための図である。
【図７】本発明の一実施形態に係るユーザインターフェース提供方法を説明するための図である。
【図８】本発明の一実施形態に係るユーザインターフェース提供方法を説明するための図である。
【図９】本発明の一実施形態に係る遠隔制御装置によって制御可能なディスプレイ装置のユーザインターフェース提供方法を説明するためのフローチャートである。
【図１０】本発明の一実施形態に係るディスプレイ装置を制御する遠隔制御装置のユーザインターフェース提供方法を説明するためのフローチャートである。
【発明を実施するための形態】
【００２６】
以下に添付図面を参照しながら、本発明の好適な実施の形態について詳細に説明する。
【００２７】
図１は、本発明の一実施形態に係るユーザインターフェース提供システムを説明するための図である。図１によると、本ユーザインターフェース提供システムは、ディスプレイ装置１００と遠隔制御装置２００とを含む。図１に示すディスプレイ装置１００と遠隔制御装置２００とは、ブルートゥース（Ｂｌｕｅｔｏｏｔｈ（登録商標））、Ｚｉｇｂｅｅ（登録商標）、Ｗｉ−Ｆｉ、赤外線通信、ＲＦ（Ｒａｄｉｏ  Ｆｒｅｑｕｅｎｃｙ）通信等のような通信方式を用いて、相互通信を行うことができる。
【００２８】
一方、ディスプレイ装置１００はアプリケーションを実行し、それによるアプリケーション実行画面をディスプレイすることができる。ここで、アプリケーションとは、例えば、自ら実行可能な応用プログラムとして、テレビ関連アプリケーション、ＳＮＳ（Ｓｏｃｉａｌ  Ｎｅｔｗｏｒｋ  Ｓｅｒｖｉｃｅ）関連アプリケーション、マルチメディアコンテンツ（例えば、音楽または動画のようなマルチメディアコンテンツ）関連アプリケーション、ゲーム関連アプリケーション、スポーツ関連アプリケーション、教育関連アプリケーション等を含んでよい。アプリケーションは、ディスプレイ装置１００のユーザによって用いられる多様な種類のプログラムを含んでよい。
【００２９】
一方、アプリケーションは、製造時にディスプレイ装置１００にインストールされてるか、以後に外部サーバ（図示せず）等から受信してディスプレイ装置１００にインストールされてよい。
【００３０】
そして、ディスプレイ装置１００は、各アプリケーションに対応するＵＩ画面情報を遠隔制御装置２００に伝送することができる。ここで、ＵＩ（Ｕｓｅｒ  Ｉｎｔｅｒｆａｃｅ）画面情報は、遠隔制御装置２００を介してアプリケーションをコントロールするためのユーザ命令の入力を受けることができるＵＩ画面をディスプレイするための情報を含んでよい。
【００３１】
それにより、遠隔制御装置２００は、ディスプレイ装置１００からＵＩ画面情報を受信し、ディスプレイ装置１００で実行中のアプリケーションのコントロールに必要なＵＩ画面をディスプレイすることができる。そのため、ユーザは遠隔制御装置２００にディスプレイされたＵＩ画面を通して、アプリケーション実行画面上にディスプレイされた各種メニューを選択したり、アプリケーションで提供される各種機能を実行させることができる。
【００３２】
このように、本実施形態に係るユーザインターフェース提供システムは、ディスプレイ装置１００で実行中のアプリケーション別に各アプリケーションをコントロールするためのＵＩ画面を遠隔制御装置２００にディスプレイすることができるようになる。それにより、実行中のアプリケーションに応じて最適化したインターフェースをユーザに提供することができるようになる。
【００３３】
図２は、本発明の一実施形態に係るディスプレイ装置の構成を説明するためのブロック図である。図２によると、ディスプレイ装置１００は、遠隔制御装置（例えば、図１のリモートコントロール装置２００）によって制御可能であり、通信部１１０と、保存部１２０及び制御部１３０を含む。ディスプレイ装置１００は、テレビで実現されてよいが、テレビに限定されるものではなく、デスクトップ、スマートフォン、ＰＤＡ、ノートパソコン等のように、ディスプレイユニットを備えた多様な相互異なる装置で実現されてよい。
【００３４】
通信部１１０は、遠隔制御装置２００と通信を行う。
【００３５】
具体的に、通信部１１０は、ブルートゥース、Ｚｉｇｂｅｅ、赤外線通信、ＲＦ通信等のような近距離無線通信方式によって遠隔制御装置２００と無線通信を行うことができる。そのために、通信部１１０は、各通信方式で用いることができる通信モジュールを備えることができる。
【００３６】
例えば、ブルートゥース通信方式によって通信を行う場合、通信部１１０はブルートゥース通信モジュールを介して遠隔制御装置２００とペアリングを行い、遠隔制御装置２００と通信可能な状態であってよい。なお、Ｚｉｇｂｅｅ通信モジュールを備えた場合にも、通信部１１０はＺｉｇｂｅｅ通信モジュールを介して遠隔制御装置２０とペアリングを行って、遠隔制御装置２００と通信可能な状態であってよい。一方、赤外線通信またはＲＦ通信方式によって通信を行う場合、通信部１１０は、赤外線信号またはＲＦ信号を遠隔制御装置２００と相互送受信して通信を行うことができる。
【００３７】
なお、通信部１１０は、Ｗｉ−Ｆｉ等を用いて遠隔制御装置２００と無線通信を行うこともできる。例えば、通信部１１０は、Ｗｉ−Ｆｉ通信モジュールを介して別途のネットワーク網を経ずに、遠隔制御装置２００と直接接続されて通信を行うか、Ｗｉ−Ｆｉ通信モジュールを介してアクセスポイント（Ａｃｃｅｓｓ  Ｐｏｉｎｔ：ＡＰ）に接続してネットワーク網を用いて遠隔制御装置２００と通信を行うこともできる。なお、通信部１１０は、インターネット網を介して遠隔制御装置２００と無線通信を行うことができる。
【００３８】
このように、通信部１１０は、多様な通信方式を用いて遠隔制御装置２００と通信を行うことができる。
【００３９】
保存部１２０は、ディスプレイ装置１００で実行可能なアプリケーション別にマッピングされたＵＩ画面情報を保存する。ここで、ＵＩ画面情報は、アプリケーションをコントロールするためのユーザ命令を受信することができるＵＩ画面を遠隔制御装置２００にディスプレイするための情報を含むことができる。
【００４０】
具体的に、ＵＩ画面情報は、アプリケーションコントロールに必要なキー及びキーの配列情報を含むことができる。ここで、キーの配列情報は、キーのサイズ、位置及び形状のうち、少なくとも１つに関する情報を含んでよい。例えば、キーは、特定の横または縦を有するか、ＵＩ画面で特定の位置に配置されるか、アプリケーションまたはプログラムに対応する特定の形状を有してよい。キーは、円、楕円または四角等のような多様な形状を有してよい。すなわち、保存部１２０は、アプリケーションのコントロールに必要なキーと、各キーがＵＩ画面上でディスプレイされる位置、各キーのサイズ及び形状に関する情報をアプリケーション別にマッピングさせて保存することができる。ただ、実施形態によって、上述の情報のうちの一部の情報が省略されたり、別の情報が追加されることも可能である。例えば、形状に関する情報は保存されていなくてよく、この場合、遠隔制御装置２００は予め設定された形状でＵＩ画面上で各キーを表示することができる。
【００４１】
この場合、保存部１２０は、アプリケーションに関するＵＩ画面情報を遠隔制御装置２００の画面サイズ別にマッピングさせて保存することもできる。具体的に、保存部１２０は、遠隔制御装置２００の画面のサイズ別に、アプリケーションのコントロールに必要な各キーがＵＩ画面上でディスプレイされる位置、各キーのサイズ及び形状に関する情報をマッピングさせて保存することができる。
【００４２】
例えば、保存部１２０は、Ａ×Ｂ、例えば、特定の横及び縦のサイズを有するＵＩ画面をディスプレイすることができる遠隔制御装置２００の場合、特定キーがＵＩ画面上でａ×ｂピクセルからＸサイズを有する形状でディスプレイされ、Ｃ×Ｄのサイズを有するＵＩ画面をディスプレイすることができる遠隔制御装置２００の場合、特定キーがＵＩ画面上でｃ×ｄピクセルからＹサイズを有する形状でディスプレイされる情報を保存することができる。そのため、ＵＩ画面のサイズは可変的であってよい。なお、ＵＩ画面のサイズは、ＵＩ画面上にディスプレイされるコンテンツのタイプまたはキーの数に応じて調整されてよい。
【００４３】
なお、保存部１２０は、基準ＵＩ画面サイズに関する情報を保存することもできる。具体的に、保存部１２０は、基準ＵＩ画面サイズでアプリケーションのコントロールに必要な各キーがディスプレイされる位置、各キーのサイズ及び形状に関する情報を保存することができる。例えば、保存部１２０は、基準ＵＩ画面がＡ×Ｂのサイズを有する際、特定キーが基準ＵＩ画面上でａ×ｂピクセルからＸサイズを有するようにディスプレイされる情報を保存することができる。
【００４４】
なお、ＵＩ画面情報は、アプリケーションコントロールに必要なキーを含むＵＩ画面イメージ及びイメージを構成するキーに関する情報を含んでよい。ここで、キーに関する情報は、ＵＩ画面イメージに含まれたキーの種類及びＵＩ画面イメージでキーの配置された位置に関する情報を含んでよい。すなわち、保存部１２０は、アプリケーションをコントロールするためのユーザ命令を受信することができるＵＩ画面イメージ及び及び各ＵＩ画面イメージに含まれたキーの種類、各キーがＵＩ画面イメージ上で配置された位置に関する情報をアプリケーション別に保存することができる。
【００４５】
一方、保存部１２０は、アプリケーションコントロールのための制御命令を保存することができる。ここで、制御命令は、アプリケーションをコントロールすることができる命令を含む。
【００４６】
具体的に、保存部１２０は、アプリケーション別にアプリケーションコントロールのための制御命令を各キーごとにマッピングさせて保存することができる。例えば、保存部１２０は、動画アプリケーションの場合、動画アプリケーションのコントロールのための制御命令を各キーごとにマッピングさせて保存し、ゲームアプリケーションの場合、ゲームアプリケーションのコントロールのための制御命令を各キーごとにマッピングさせて保存することができる。
【００４７】
一方、保存部１２０は、フラッシュメモリタイプ（ｆｌａｓｈ  ｍｅｍｏｒｙ  ｔｙｐｅ）、ハードディスクタイプ（Ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤ（Ｓｅｃｕｒｅ  Ｄｉｇｉｔａｌ）またはＸＤ（Ｅｘｔｒｅｍｅ  Ｄｉｇｉｔａｌ）メモリ等）、ＲＡＭ、ＲＯＭのうち、少なくとも１つのタイプの保存媒体を含んでよい。
【００４８】
制御部１３０は、ディスプレイ装置１００の動作全般を制御する。具体的に、制御部１３０は、遠隔制御装置２００と通信を行うように通信部１１０を制御することができる。例えば、通信部１１０に設けられたブルートゥース通信モジュールを遠隔制御装置２００と通信を行う場合、制御部１３０は、ブルートゥース通信モジュールを用いて通信可能な外部機器を検索し、検索された遠隔制御装置２００とＰＩＮコード（ＰＩＮ  Ｃｏｄｅ）を送受信し、遠隔制御装置２００とペアリング動作を行うように通信部１１０を制御することができる。
【００４９】
ただ、制御部１３０は、上述の例の他にも、通信部１１０に設けられた通信モジュールの種類に応じて、各通信モジュールに提供する通信方式によって遠隔制御装置２００と通信を行うように通信部１１０を制御することができる。
【００５０】
なお、制御部１３０は、ユーザ命令に基づいてアプリケーションが実行されると、保存部１２０に保存されたＵＩ画面情報のうち、実行されたアプリケーションに対応するＵＩ画面情報を遠隔制御装置２００に伝送するように制御することができる。
【００５１】
具体的に、制御部１３０は、アプリケーションが実行され、その実行画面がディスプレイされているアプリケーションを判断し、判断されたアプリケーションにマッピングされるＵＩ画面情報を保存部１２０から読み取って遠隔制御装置２００に伝送することができる。例えば、ゲームアプリケーションが駆動されてゲーム画面がディスプレイされる場合、制御部１３０は保存部１２０に保存されたＵＩ画面情報のうち、ゲームアプリケーションにマッピングされたＵＩ画面情報を遠隔制御装置２００に伝送することができる。
【００５２】
一方、制御部１３０は、遠隔制御装置２００の画面サイズに対応するＵＩ画面情報を遠隔制御装置２００に伝送するように制御することができる。具体的に、遠隔制御装置２００から画面サイズに関する情報が受信されると、制御部１３０は、アプリケーションごとに遠隔制御装置２００の画面サイズ別に保存されたＵＩ画面情報のうち、受信された画面サイズに対応するＵＩ画面情報を遠隔制御装置２００に伝送するように制御することができる。
【００５３】
なお、制御部１３０は、基準ＵＩ画面サイズに関する情報を遠隔制御装置２００に伝送するように制御することもできる。具体的に、制御部１３０は、アプリケーションのコントロールに必要なキー、各キーが基準ＵＩ画面サイズでディスプレイされる位置、各キーのサイズ及び形状に関する情報を、基準ＵＩ画面サイズに関する情報とともに遠隔制御装置２００に伝送するように制御することもできる。
【００５４】
なお、制御部１３０は、ＵＩ画面情報に対応するアプリケーションに関する情報を遠隔制御装置２００に伝送することができる。ここで、アプリケーションに関する情報は、アプリケーションの種類、名称、シリアルナンバーのうち少なくとも１つを含むことができる。この場合、遠隔制御装置２００は、ディスプレイ装置１００から受信されたＵＩ画面情報にアプリケーションに関する情報をマッピングさせて保存することができる。
【００５５】
一方、制御部１３０は、ＵＩ画面情報をリセットするための命令を遠隔制御装置２００に伝送することができる。具体的に、制御部１３０は、実行中であった複数のアプリケーションに対する実行が中断されたり、ディスプレイ装置１００に対する電源オフ命令が入力されると、遠隔制御装置２００に保存されたＵＩ画面情報をリセットさせるための命令を遠隔制御装置２００に伝送するように制御することができる。
【００５６】
一方、制御部１３０は、現在実行中のアプリケーションが他アプリケーションに変更されると、保存部１２０に保存されたＵＩ画面情報のうち、変更された他アプリケーションに対応するＵＩ画面情報を遠隔制御装置２００に伝送するように制御することができる。
【００５７】
具体的に、制御部１３０は、現在実行されているアプリケーションに対する実行が中断され、他アプリケーションが実行されてそれによるアプリケーション実行画面がディスプレイされる場合、保存部１２０に保存されたＵＩ画面情報のうち、現在ディスプレイされるアプリケーションに対応するＵＩ画面情報を遠隔制御装置２００に伝送するように制御することができる。
【００５８】
なお、制御部１３０は、マルチタスキングによって、以前実行されていたアプリケーションに対する実行が中断されていない状態の場合にも、ＵＩ画面情報を遠隔制御装置２００に伝送するように制御することができる。具体的に、マルチタスキングにおいて、制御部１３０は同時に複数のアプリケーションを制御することができる。
【００５９】
具体的に、制御部１３０は、以前実行されていたアプリケーションに対する実行が中断されていない状態で、他アプリケーションが実行されてそれによるアプリケーション実行画面がディスプレイされる場合、保存部１２０に保存されたＵＩ画面情報のうち、現在ディスプレイされるアプリケーションに対応するＵＩ画面情報を遠隔制御装置２００に伝送するように制御することができる。
【００６０】
なお、制御部１３０は、複数のアプリケーションが実行中の状態で、以前ディスプレイされたアプリケーション実行画面が再度ディスプレイされると、保存部１２０にＵＩ画面情報のうち、現在ディスプレイされるアプリケーションに対応するＵＩ画面情報を遠隔制御装置２００に伝送するように制御することができる。具体的に、マルチタスキング機能が実行されると、以前実行されたアプリケーションの実行画面がそれ以上ディスプレイされずに、新たに実行されたアプリケーションの実行画面がディスプレイされる。その後、ユーザ命令によって以前ディスプレイされたアプリケーション実行画面が再度ディスプレイされると、制御部１３０は再度ディスプレイされるアプリケーションに対応するＵＩ画面情報を遠隔制御装置２００に伝送するように制御することができる。すなわち、複数のアプリケーションが実行されている状態で、ディスプレイされるアプリケーション実行画面が変更された場合、制御部１３０は現在ディスプレイされるアプリケーションに対応するＵＩ画面情報を遠隔制御装置２００に伝送するように制御することができる。
【００６１】
この場合、制御部１３０は、現在ディスプレイされるアプリケーションに関する情報を遠隔制御装置２００に伝送するように制御することもできる。ここで、アプリケーションに関する情報は、アプリケーションの種類、名称、シリアルナンバーのうち、少なくとも１つを含んでよい。それにより、遠隔制御装置２００は、ディスプレイ装置１００から受信されたアプリケーションに関する情報を用いて、ディスプレイ装置１００で現在ディスプレイされるアプリケーションを判断し、予め保存されたＵＩ画面中で判断結果に対応するＵＩ画面をディスプレイすることができる。
【００６２】
一方、制御部１３０は、アプリケーションコントロールのための制御命令を遠隔制御装置２００に伝送するように制御することができる。ここで、制御命令は、アプリケーションをコントロールすることができる命令を含む。
【００６３】
具体的に、制御部１３０は、実行画面が現在ディスプレイされるアプリケーションのコントロールに必要な各キーにマッピングされた制御命令を遠隔制御装置２００に伝送するように制御することができる。それにより、遠隔制御装置２００はディスプレイ装置１００から受信された制御命令を用いて、ＵＩ画面上でユーザによって選択されたキーにマッピングされた制御命令をディスプレイ装置１００に伝送することができる。
【００６４】
この場合、制御部１３０は、遠隔制御装置２００から受信された制御命令に対応する動作を行うことができる。例えば、制御部１３０は、遠隔制御装置２００から受信された制御命令に応じてアプリケーション実行画面上にディスプレイされた各種メニューを選択するか、アプリケーションで提供される各種機能等、アプリケーションで実行可能な多様な動作が行われるように制御することができる。
【００６５】
なお、制御部１３０は、遠隔制御装置２００から受信されたキー情報に対応する動作を行うこともできる。具体的に、遠隔制御装置２００からＵＩ画面上でユーザの選択されたキーに関する情報が受信されると、制御部１３０はキー情報に応じてアプリケーション実行画面上にディスプレイされた各種メニューを選択するか、アプリケーションで提供される各種機能等、アプリケーションで実行可能な多様な動作が行われるように制御することができる。例えば、動画アプリケーションが実行中の状態で遠隔制御装置２００から停止キーに関する情報が受信されると、制御部１３０は動画アプリケーションを介して再生中の動画に対する再生を中断することができる。
【００６６】
図３は、本発明の一実施形態に係るディスプレイ装置の細部構成を説明するためのブロック図である。図３によると、ディスプレイ装置１００は、通信部１１０と、保存部１２０と、制御部１３０と、受信部１４０と、信号処理部１５０と、ディスプレイ部１６０と、オーディオ出力部１７０及びユーザインターフェース部１８０を含む。
【００６７】
受信部１４０は、多様なタイプのコンテンツを受信する。具体的に、受信部１４０は、放送ネットワークを用いて放送番組コンテンツを伝送する放送局またはインターネットを用いてコンテンツファイルを伝送するウェブサーバからコンテンツを受信する。なお、ディスプレイ装置１００内に設けられるか、ディスプレイ装置１００に接続された各種記録媒体再生装置からコンテンツを受信することもできる。記録媒体再生装置とは、ＣＤ、ＤＶＤ、ハードディスク、ブルーレイディスク、メモリカード、ＵＳＢメモリ等のような多様な記録媒体に保存されたコンテンツを再生する装置を意味する。
【００６８】
放送局からコンテンツを受信する実施形態の場合には、受信部１４０はチューナ（図示せず）、復調器（図示せず）、等化器（図示せず）等のような構成を含む形態で実現されてよい。一方、ウェブサーバのようなソースからコンテンツを受信する実施形態の場合には、受信部１４０は、ネットワークインターフェースカード（図示せず）で実現されてよい。または、上述の各種記録媒体再生装置からコンテンツを受信する実施形態の場合には、受信部１４０は記録媒体再生装置と接続されたインターフェース部（図示せず）で実現されてよい。このように、受信部１４０は、実施形態に応じて多様な形態で実現されてよい。
【００６９】
信号処理部１５０は、受信部１４０を介して受信されたコンテンツがディスプレイ部１６０を介して受信されるようにコンテンツに対する信号処理を行う。
【００７０】
具体的に、信号処理部１５０はコンテンツに含まれたビデオ信号に対してデコード、スケーリング、ノイズフィルタリング、フレームレート変換、解像度変換等のような多様なイメージ処理を行ってディスプレイ部１６０から出力可能な形態でビデオ信号を変換することができる。なお、信号処理部１５０は、コンテンツに含まれたオーディオ信号に対してデコードや増幅、ノイズフィルタリング等の多様な信号処理を行ってオーディオ出力部１７０から出力可能な形態でオーディオ信号を変換することができる。
【００７１】
ディスプレイ部１６０は、信号処理部１５０で処理された各種ビデオ信号を出力する構成要素である。なお、ディスプレイ部１６０は、ユーザ命令に応じて実行された多様なアプリケーション実行画面をディスプレイすることができる。
【００７２】
そのために、ディスプレイ部１６０は、液晶表示装置（Ｌｉｑｕｉｄ  Ｃｒｙｓｔａｌ  Ｄｉｓｐｌａｙ：ＬＣＤ）、有機電気発光ダイオード（Ｏｒｇａｎｉｃ  Ｌｉｇｈｔ  Ｅｍｉｔｔｉｎｇ  Ｄｉｓｐｌａｙ：ＯＬＥＤ）またはプラズマ表示パネル（Ｐｌａｓｍａ  Ｄｉｓｐｌａｙ  Ｐａｎｅｌ：ＰＤＰ）等で実現され、ディスプレイ装置１００を介して提供可能な多様なディスプレイ画面を提供することができる。
【００７３】
オーディオ出力部１７０は、信号処理部１５０で処理された各種オーディオ信号だけでなく、各種報知音や音声メッセージ等を出力する構成要素である。
【００７４】
ユーザインターフェース部１８０は、多様なユーザ命令を受信して制御部１３０に伝達する。そのために、ユーザインターフェース部１８０は入力パネルで実現され、ディスプレイ装置１００の機能を制御するための多様なユーザ命令を受信することができる。ここで、入力パネルはタッチパッド（Ｔｏｕｃｈ  Ｐａｄ）或は各種機能キー、数字キー、特殊キー、文字キー等を備えたキーパッド（Ｋｅｙ  Ｐａｄ）またはタッチスクリーン（Ｔｏｕｃｈ  Ｓｃｒｅｅｎ）方式で行われてよい。しかし、入力パネルは、このような例に制限されるわけではなく、多様なタイプの入力装置が用いられてよい。
【００７５】
なお、通信部１４０は、ディスプレイ装置１００の機能を制御するための多様なユーザ命令を遠隔制御装置２００から受信して制御部１３０に伝達することができる。
【００７６】
これらの実施形態において、ユーザ命令はディスプレイ装置１００がスマートテレビで実現される場合、スマートテレビの電源オン及びオフ、チャネル変更、音量コントロール等、スマートテレビの機能を制御するためのユーザ命令を含んでよい。この場合、制御部１３０は、通信部１４０またはユーザインターフェース部１８０を介して入力されたユーザ命令に対応する各種機能を実行するように他の構成要素を制御することができる。
【００７７】
特に、通信部１４０及びユーザインターフェース部１８０は、ディスプレイ装置１００で実行可能な多様なアプリケーションに対する実行命令を受信することができる。この場合、制御部１３０は、通信部１４０またはユーザインターフェース部１８０を介して入力されたユーザ命令に対応するアプリケーションを実行し、実行画面をディスプレイ部１６０を介してディスプレイすることができる。
【００７８】
一方、保存部１２０は、ディスプレイ装置１００を駆動させるためのＯ／Ｓ（Ｏｐｅｒａｔｉｎｇ  Ｓｙｓｔｅｍ）ソフトウェアモジュール、各種アプリケーション、アプリケーション実行中に入力されたり設定される各種データ、コンテンツ等のように多様なデータが保存されてよい。
【００７９】
一方、制御部１３０は、保存部１２０に保存された各種プログラムを用いてディスプレイ装置１００の動作を全般的に制御する。
【００８０】
具体的に、制御部１３０は、ＲＡＭ１３１、ＲＯＭ１３２、メインＣＰＵ１３３、グラフィック処理部１３４、第１ないしｎインターフェース１３５−１〜１３５−ｎ、バス１３６を含む。
【００８１】
ＲＡＭ１３１、ＲＯＭ１３２、メインＣＰＵ１３３、グラフィック処理部１３４、第１ないしｎインターフェース１３５−１〜１３５−ｎ等は、バス１３６を介して相互接続されてよい。
【００８２】
第１ないしｎインターフェース１３５−１〜１３５−ｎは、上述の各種構成要素と接続される。インターフェースのうちの１つは、ネットワークを介して外部装置と接続されるネットワークインターフェースであってもよい。
【００８３】
メインＣＰＵ１３３は、保存部１２０にアクセスし、保存部１２０に保存されたＯ／Ｓを用いてブートを行う。そして、保存部１２０に保存された各種アプリケーション、プログラム、コンテンツ、データ等を用いて多様な動作を行う。
【００８４】
ＲＯＭ１３２には、システムをブートするための命令語セット等が保存される。ディスプレイ装置１００をターンオンするための命令が入力されて電源が供給されると、メインＣＰＵ１３３は、ＲＯＭ１３２に保存された命令語に応じて保存部１２０に保存されたＯ／ＳをＲＡＭ１２１にコピーし、Ｏ／Ｓを実行させてシステムをブートさせる。ブートが完了すると、メインＣＰＵ１３３は、保存部１２０に保存された各種アプリケーションプログラムをＲＡＭ１３１にコピーし、ＲＡＭ１３１にコピーされたアプリケーションプログラムを実行させて各種動作を行う。
【００８５】
グラフィック処理部１３４は、演算部（図示せず）及びレンダリング部（図示せず）を用いてアイコン、イメージ、テキスト等のような多様な客体を含む画面、アプリケーション実行画面を生成する。演算部（図示せず）は、グラフィック処理部１３４から受信された制御命令を用いて画面のレイアウトに応じて各客体が表示される座標値、形、大きさ、カラー等のような属性値を演算する。レンダリング部（図示せず）は、演算部（図示せず）で演算した属性値に基づいて客体を含む多様なレイアウトの画面を生成する。レンダリング部（図示せず）で生成された画面はディスプレイ部１６０の画面内に表示される。
【００８６】
一方、図３は、ディスプレイ装置１００に含まれた細部構成を例示したものとして、実施形態によっては、図３に示す構成要素の一部は省略または変更されてよく、他の構成要素が更に追加されてよい。例えば、ディスプレイ装置１００がスマートフォンで実現される場合、ディスプレイ装置１００の現在位置を算出するためのＧＰＳ受信部（図示せず）等を更に含んでよい。
【００８７】
図４は、本発明の一実施形態に係る遠隔制御装置の構成を説明するためのブロック図である。図４によると、遠隔制御装置２００は、ディスプレイ部２１０と、通信部２２０及び制御部２３０を含む。
【００８８】
この場合、遠隔制御装置２００は、ディスプレイ装置１００を制御するためのリモコンで実現されてよい。しかし、この例に限定されるものではなく、ディスプレイ装置１００を制御することができるアプリケーション（例えば、リモコンアプリケーション）を実行することができるスマートフォン、タブレット、ＰＤＡ等で実現されてよい。
【００８９】
ディスプレイ部２１０は、多様な画面をディスプレイすることができる。具体的に、ディスプレイ部２１０は、ディスプレイ装置（例えば、図１ないし図３のディスプレイ装置１００）でディスプレイされるアプリケーションをコントロールすることができるユーザ命令を受信するためのＵＩ画面をディスプレイすることができる。
【００９０】
一方、ディスプレイ部２１０は、タッチパッドと相互レイヤ構造をなすタッチスクリーンの形態で実現されてよい。この場合、ディスプレイ部２１０は、画面をディスプレイしつつ、ユーザ命令を受信することができるようになる。ここで、ディスプレイ部２１０は、タッチ入力位置及び面積だけでなく、タッチ入力圧力までも検出することができ、検出結果を制御部２３０に提供することができる。
【００９１】
通信部２２０は、ディスプレイ装置１００と通信を行う。
【００９２】
具体的に、通信部２２０は、ブルートゥース、Ｚｉｇｂｅｅ、赤外線通信、ＲＦ通信等のような近距離無線通信方式によってディスプレイ装置１００と無線通信を行うことができる。そのために、通信部２２０は、各通信方式で用いることができる通信モジュールを備えることができる。
【００９３】
例えば、ブルートゥース通信方式によって通信を行う場合、通信部２２０はブルートゥース通信モジュールを介してディスプレイ装置１００とペアリングを行い、ディスプレイ装置２００と通信可能な状態であってよい。なお、Ｚｉｇｂｅｅ通信モジュールを備えた場合にも、通信部２２０はＺｉｇｂｅｅ通信モジュールを介してディスプレイ装置１００とペアリングを行って、ディスプレイ装置１００と通信可能な状態であってよい。一方、赤外線通信またはＲＦ通信方式によって通信を行う場合、通信部２２０は赤外線信号またはＲＦ信号をディスプレイ装置１００と相互送受信して通信を行うことができる。
【００９４】
なお、通信部２２０は、Ｗｉ−Ｆｉ等を用いてディスプレイ装置１００と無線通信を行うこともできる。例えば、通信部２２０は、Ｗｉ−Ｆｉ通信モジュールを介して別途のネットワーク網を経ずにディスプレイ装置１００と直接接続されて通信を行うか、アクセスポイント（Ａｃｃｅｓｓ  Ｐｏｉｎｔ：ＡＰ）を用いてネットワーク網に接続されてディスプレイ装置１００と通信を行うこともできる。なお、通信部２１０は、インターネット網を介して遠隔制御装置２００と無線通信を行うことができる。
【００９５】
このように、通信部２２０は、多様な通信方式を用いてディスプレイ装置１００と通信を行うことができる。
【００９６】
制御部２３０は、遠隔制御装置２００の動作全般を制御する。具体的に、制御部２３０は、ディスプレイ装置１００と通信を行うように通信部２２０を制御することができる。例えば、通信部２２０がブルートゥース通信モジュールを介して遠隔制御装置２００と通信を行う場合、制御部２３０はブルートゥース通信モジュールを用いて通信可能な外部機器を検索し、検索されたディスプレイ装置１００とＰＩＮコード（ＰＩＮ  Ｃｏｄｅ）を送受信するように通信部２２０を制御し、ディスプレイ装置１００とペアリング動作を行うことができる。
【００９７】
ただ、制御部２３０は、上述例の他にも、通信部２２０に設けられた通信モジュールの種類に応じて、各通信モジュールに提供する通信方式によって遠隔制御装置２００と通信を行うように通信部１１０を制御することができる。
【００９８】
一方、制御部２３０は、ディスプレイ装置１００から実行中のアプリケーションに対応するＵＩ画面情報が受信されると、受信されたＵＩ画面情報に基づいてアプリケーションをコントロールするためのＵＩ画面をディスプレイするように制御することができる。すなわち、制御部２３０は、ＵＩ画面情報を用いて、アプリケーションをコントロールするためのＵＩ画面をディスプレイするように制御することができる。
【００９９】
ここで、ＵＩ画面情報は、ディスプレイ装置１００で実行可能なアプリケーション別にマッピングされた画面情報であってよい。すなわち、ディスプレイ装置１００は実行可能なアプリケーション別にＵＩ画面情報を保存し、現在ディスプレイされるアプリケーションに対応するＵＩ画面情報を遠隔制御装置２００に伝送することができる。それにより、遠隔制御装置２００は、受信されたＵＩ画面情報に基づいて、実行画面がディスプレイ装置１００で現在ディスプレイされているアプリケーションをコントロールすることができるＵＩ画面を出力することができる。
【０１００】
具体的に、ＵＩ画面情報はアプリケーションコントロールに必要なキー及びキーの配列情報を含む。ここで、キーの配列情報は、キーのサイズ、位置及び形状のうち、少なくとも１つを含んでよい。それにより、制御部２３０は、ＵＩ画面情報に基づいて、アプリケーションコントロールに必要なキーがディスプレイ部２１０の画面上でディスプレイされる位置、各キーのサイズ及び形状を判断し、それによってアプリケーションをコントロールするためのＵＩ画面を生成してディスプレイするように制御することができる。すなわち、制御部２３０は、受信されたＵＩ画面情報に基づいてディスプレイ部２１０の画面サイズに対応するようにＵＩ画面を生成することができる。
【０１０１】
一方、制御部２３０は、ディスプレイ部２１０の画面サイズに対応するＵＩ画面情報を受信するように制御することができる。具体的に、制御部２３０は、ディスプレイ部２１０の画面サイズに関する情報をディスプレイ装置１００に伝送し、ディスプレイ部２１０の画面サイズに対応するＵＩ画面情報を受信するように制御することができる。そのため、制御部２３０は、ディスプレイ部２１０の画面サイズに対応するＵＩ画面情報に基づいて、アプリケーションコントロールに必要なキーがディスプレイ部２１０の画面上でディスプレイされる位置、各キーのサイズ及び形状を判断し、それによってアプリケーションをコントロールするためのＵＩ画面を生成してディスプレイするように制御することができる。すなわち、制御部２３０は、ディスプレイ部２１０の画面サイズに合致するようにディスプレイ装置１００で予め設定されたＵＩ画面情報に基づいてＵＩ画面を生成することができる。
【０１０２】
なお、制御部２３０は、ディスプレイ装置１００から基準ＵＩ画面サイズに関する情報を受信されると、受信された基準ＵＩ画面サイズ情報を用いてアプリケーションをコントロールするためのＵＩ画面を生成することができる。具体的に、制御部２３０は、受信された基準ＵＩ画面サイズとディスプレイ部２１０の画面サイズとを比較し、ディスプレイ部２１０の画面上でアプリケーションのコントロールに必要な各キーがディスプレイされる位置、各キーのサイズ及び形状を判断する。それにより、制御部２３０はアプリケーションをコントロールするためのＵＩ画面を生成してディスプレイするように制御することができる。すなわち、制御部２３０は、受信された基準ＵＩ画面サイズ及びＵＩ画面情報にディスプレイ部２１０の画面サイズに対応するようにＵＩ画面を生成することができる。
【０１０３】
一方、ＵＩ画面情報は、アプリケーションコントロールに必要なキーを含むＵＩ画面イメージ及びイメージを構成するキーに関する情報を含むことができる。ここで、キーに関する情報は、ＵＩ画面イメージに含まれたキーの種類及びＵＩ画面イメージでキーの配置する位置に関する情報を含んでよい。それにより、制御部２３０は、ディスプレイ装置１００から受信されたＵＩ画面イメージのサイズをディスプレイ部２１０の画面サイズに合致するように調整（例えば、スケーリング）してＵＩ画面を生成し、生成されたＵＩ画面をディスプレイ部２１０にディスプレイするように制御することができる。
【０１０４】
一方、制御部２３０は、ディスプレイ装置で実行中のアプリケーションが他アプリケーションに変更されると、変更されたアプリケーションに対応するＵＩ画面情報を受信し、受信されたＵＩ画面情報に基づいて他アプリケーションをコントロールするためのＵＩ画面をディスプレイするように制御することができる。
【０１０５】
すなわち、ディスプレイされるアプリケーション実行画面が変更された場合、ディスプレイ装置１００は実行画面が現在ディスプレイされているアプリケーションに対応するＵＩ画面情報を遠隔制御装置２００に伝送することを図２を参照して説明している。この場合、制御部２３０は、受信されたＵＩ画面情報に基づいてＵＩ画面を再度生成してディスプレイするように制御することができる。それにより、ユーザは遠隔制御装置２００にディスプレイされたＵＩ画面を用いてディスプレイ装置１００で現在ディスプレイされているアプリケーションをコントロールすることができるようになる。
【０１０６】
一方、制御部２３０は、ディスプレイ部２１０にディスプレイされたＵＩ画面に対するユーザ命令に基づいて、ディスプレイ装置１００で実行されたアプリケーションを制御することができる。
【０１０７】
具体的に、制御部２３０は、ディスプレイ装置１００から受信された制御命令を用いて、ＵＩ画面上で選択されたキーに対応する制御命令をディスプレイ装置１００に伝送するように制御することができる。なお、制御部２３０は、ＵＩ画面上で選択されたキーに関する情報をディスプレイ装置１００に伝送するように制御することもできる。すなわち、制御部２３０は、ＵＩ画面情報に含まれた各キーの位置情報を用いてＵＩ画面上で選択されたキーを判断し、選択されたキーに関する情報をディスプレイ装置１００に伝送するように制御することもできる。ただ、実施形態によって、予め保存された制御命令を用いることも可能である。例えば、各キーに対応する制御命令が予め保存されている場合、制御部２３０は、予め保存された制御命令を用いてＵＩ画面上で選択されたキーに対応する制御命令をディスプレイ装置１００に伝送するように制御することもできる。
【０１０８】
それにより、ディスプレイ装置１００は、受信された制御命令またはキーに関する情報に基づいてアプリケーションの動作を制御することができる。例えば、ディスプレイ装置１００はゲームアプリケーションに対する実行画面がディスプレイされた状態で遠隔制御装置２００からゲーム実行画面上に表示された客体、例えば、ゲーム上のキャラクタを移動させるための制御命令が受信されると、受信された制御命令に対応するようにゲーム実行画面上に表示された客体を移動させることができる。なお、ディスプレイ装置１００は動画アプリケーションに対する実行画面がディスプレイされた状態で遠隔制御装置２００で再生キーが選択されたという情報が受信されると、受信された再生キーによって動画を再生させることができる。
【０１０９】
一方、上述のように、遠隔制御装置２００は、ディスプレイ装置１００を制御するためのリモコンで実現されてよいが、ディスプレイ装置１００を制御することができるアプリケーション（例えば、リモコンアプリケーション）を実行することができるスマートフォン、タブレット、ＰＤＡ等で実現されてよい。この場合、制御部２３０は、ユーザ命令によるリモコンアプリケーションを実行し、ディスプレイ装置１００で実行中のアプリケーションの動作を制御することができる。
【０１１０】
例えば、制御部２３０は、リモコンアプリケーションを実行し、それによる実行画面をディスプレイ部２１０にディスプレイすることができる。その後、ディスプレイ装置１００からディスプレイ装置１００にインストールされたアプリケーションの名称、アプリケーションに対応するアイコン等に関する情報が受信されると、当該情報を含むリストをディスプレイするようにディスプレイ部２１０を制御することができる。そして、リスト上で１つが選択されると、制御部２３０は選択されたアプリケーションを実行させるための制御命令をディスプレイ装置１００に伝送し、選択されたアプリケーションが実行されるように制御することができる。その後、制御部２３０は、ディスプレイ装置１００からＵＩ画面情報に受信されると、受信されたＵＩ画面情報を用いてアプリケーションコントロールのためのＵＩ画面をディスプレイするように制御することができる。
【０１１１】
図５は、本発明の一実施形態に係る遠隔制御装置の細部構成を説明するためのブロック図である。図５によると、遠隔制御装置２００は、ディスプレイ部２１０と、通信部２２０と、制御部２３０と、保存部２４０及びユーザインターフェース部２５０を含む。図５に示す構成要素のうち、図４に示す構成要素と重複する部分については、詳細な説明を省略する。
【０１１２】
保存部２４０は、受信されたＵＩ画面情報を保存する。具体的に、保存部２４０は、ディスプレイ装置１００からＵＩ画面情報及びアプリケーションに関する情報が受信されると、ＵＩ画面情報別にアプリケーションに関する情報をマッピングさせて保存することができる。
【０１１３】
そのために、保存部２４０は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリ等）、ＲＡＭ、ＲＯＭのうち、少なくとも１つのタイプの保存媒体を含んでよい。
【０１１４】
それにより、制御部２３０は、ディスプレイ装置１００でアプリケーション実行画面が再度ディスプレイされると、保存されたＵＩ画面情報を用いてＵＩ画面をディスプレイすることができる。
【０１１５】
具体的に、ディスプレイ装置１００はマルチタスキング機能によって複数のアプリケーションが実行中の状態で以前ディスプレイされたアプリケーション実行画面が再度ディスプレイされると、実行画面が再度ディスプレイされるアプリケーションに関する情報を遠隔制御装置２００に伝送することができる。この場合、制御部２３０は、保存部２４０に保存されたＵＩ画面情報のうち、受信されたアプリケーションに関する情報にマッピングされるＵＩ画面情報を判断し、判断されたＵＩ画面情報に基づいてＵＩ画面を生成してディスプレイするように制御することができる。
【０１１６】
一方、制御部２３０は、保存部２４０に保存されたＵＩ画面情報をリセットすることもできる。具体的に、制御部２３０は、遠隔制御装置２００に対する電源オフ命令が入力されるか、遠隔制御装置２００に対するリセット命令をディスプレイ装置１００から受信する場合、保存部２４０に保存されたＵＩ画面情報をリセットすることができる。ここで、ディスプレイ装置１００は、ディスプレイ装置１００で実行中の複数のアプリケーションの実行が中断されたりディスプレイ装置１００に対する電源オフ命令が入力された場合、遠隔制御装置２００にリセット命令を伝送することができる。一方、制御部２３０は、保存部２４０に保存されたＵＩ画面情報をリセットし、その後受信されたＵＩ画面情報を保存部２４０に保存するように制御することができる。
【０１１７】
ユーザインターフェース部２５０は、ユーザ命令を受信するための構成である。具体的に、ユーザインターフェース部２５０は、ディスプレイ装置１００で実行中のアプリケーションをコントロールするためのユーザ命令を受信することができる。そのために、ユーザインターフェース部２５０は、タッチパッド（Ｔｏｕｃｈ  Ｐａｄ）或は各種機能キー、数字キー、特殊キー、文字キー等を備えたキーパッド（Ｋｅｙ  Ｐａｄ）またはタッチスクリーンの形態で実現されてよい。
【０１１８】
特に、ユーザインターフェース部２５０は、ディスプレイ部２１０とともにタッチスクリーンの形態で実現され、アプリケーションをコントロールするユーザ命令を受信するためのＵＩ画面をディスプレイし、ユーザによってＵＩ画面上で各種キーが選択されると、その結果を制御部２３０に伝達することができる。
【０１１９】
それにより、制御部２３０は、ＵＩ画面を介して入力されたユーザ命令に応じて、ディスプレイ装置１００を制御することができる。具体的に、制御部２３０は、ＵＩ画面上で選択されたキーにマッピングされた制御命令またはキーに関する情報をディスプレイ装置１００に伝送してディスプレイ装置１００にディスプレイされたアプリケーション実行画面上にディスプレイされた各種メニューを選択するか、アプリケーションから提供される各種機能等、アプリケーションで実行可能な多様な動作が行われるように制御することができる。ディスプレイ装置１００上にディスプレイされるメニューは実行されてディスプレイされるプログラムに応じて変更されてよい。
【０１２０】
なお、ユーザインターフェース部２５０は、多様なユーザ命令を受信することもできる。ここで、ユーザ命令は、ディスプレイ装置１００がスマートテレビで実現される場合、スマートテレビの電源オンまたはオフ、チャネル変更、音量コントロール等、スマートテレビの機能を制御するためのユーザ命令を含んでよい。そのために、制御部２３０は、上述のユーザ命令を受信するためのＵＩ画面をディスプレイするように制御することができ、ユーザインターフェース部２５０を介して入力されたユーザ命令に対応する制御命令をディスプレイ装置１００に伝送するように通信部２１０を制御することができる。
【０１２１】
特に、ユーザインターフェース部２５０は、ディスプレイ装置１００にインストールされたアプリケーションを実行するためのユーザ命令を受信することができ、制御部２３０は、ユーザ命令によって選択されたアプリケーションを実行させようとする制御命令をディスプレイ装置１００に伝送するように制御することができる。
【０１２２】
図６ないし図８は、本発明の一実施形態に係るユーザインターフェース提供方法を説明するための図である。
【０１２３】
まず、図６Ａのように、遠隔制御装置２００にはディスプレイ装置１００にインストールされたアプリケーションを実行するためのユーザ命令を受信するためのＵＩ画面６１０がディスプレイされてよい。この場合、ＵＩ画面６１０は、ディスプレイ装置１００にインストールされた各アプリケーションに対応するアイコンで構成されてよく、ディスプレイ装置１００にインストールされた各アプリケーションに関する情報はディスプレイ装置１００から受信されてよい。
【０１２４】
それにより、ユーザはＵＩ画面６１０に設けられたアイコンを選択して自らが所望するアプリケーションがディスプレイ装置１００で実行されるようにすることができる。例えば、動画アプリケーションに対応するアイコン６１１が選択されると、遠隔制御装置２００は動画アプリケーションを実行するための制御命令をディスプレイ装置１００に伝送し、ディスプレイ装置１００は受信された制御命令に応じて、動画アプリケーションを実行して動画アプリケーション実行画面をディスプレイすることができる。別の例として、ゲームアプリケーションに対応するアイコン６１２が選択されると、遠隔制御装置２００はゲームアプリケーションを実行するための制御命令をディスプレイ装置１００に伝送し、ディスプレイ装置１００は受信された制御命令に応じてゲームアプリケーションを実行してゲームアプリケーションを実行画面にディスプレイすることができる。
【０１２５】
しかし、それは一例に過ぎず、ユーザは多様な方法を用いて自らが所望するアプリケーションを実行することができる。
【０１２６】
例えば、図６Ｂのように、ディスプレイ装置１００にアプリケーションに対するリスト６２０がディスプレイされると、ユーザは遠隔制御装置２００に備えられた方向キー６２１を用いて実行させようとするアプリケーションにリスト上にハイライトを移動させ、選択キー６２２を用いてハイライトの位置するアプリケーションを実行することもできる。この場合、ディスプレイ装置１００にアプリケーションに対するリストは、各アプリケーションに対応するアイコン、名称等を含んでよい。
【０１２７】
図７のように、ディスプレイ装置１００で、例えば、映画またはテレビ番組のようなマルチメディアコンテンツのような動画アプリケーションが実行された場合、ディスプレイ装置１００は動画アプリケーション実行画面７１０をディスプレイする。ディスプレイ装置１００は、動画アプリケーションに対応するＵＩ画面情報を遠隔制御装置２００に伝送する。それにより、遠隔制御装置２００は、受信されたＵＩ画面情報に基づいて、動画アプリケーションのコントロールのための各種キーまたは制御命令を含むＵＩ画面７２０をディスプレイすることができる。
【０１２８】
例えば、遠隔制御装置２００のＵＩ画面７２０は動画アプリケーションを制御することができる音量調節キー７２１、消音キー７２２、メニューキー７２３、方向キー７２４及び選択キー７２５を含んでよい。ただ、実施形態によって、上述のキーの一部のキーが省略されたり、他のキーが追加されることも可能であり、アプリケーションのタイプに応じて変更されてよい。
【０１２９】
それにより、遠隔制御装置２００は、ユーザがＵＩ画面７２０上にディスプレイされたキーを選択すると、選択されたキーに対応する動作を行うようにディスプレイ装置１００を制御することができる。例えば、ユーザがメニューキー７２３を選択すると、遠隔制御装置２００は動画アプリケーションから提供可能な動画にリスト７１１を実行画面７１０上にディスプレイするようにディスプレイ装置１００を制御することができる。そして、遠隔制御装置２００は、方向キー７２４が選択されると、選択された方向キー７２４によってリスト７１１上でオブジェクトをハイライトさせ、選択キー７２５を選択すると、ハイライトされたオブジェクトによる動画をディスプレイするようにディスプレイ装置１００を制御することができる。更に、遠隔制御装置２００は、音量調節キー７２１が選択されると、動画アプリケーションを介して再生される動画の音量を調節し、消音キー７２２が選択されると、ディスプレイ装置１００でディスプレイされる動画の音量をミュートさせるようにディスプレイ装置１００を制御することができる。
【０１３０】
ただ、各キーに応じて動画アプリケーションで行われる上述の機能は一例に過ぎず、実施形態によって上述の機能とは異なる機能が各キーにマッピングされ得ることは言うまでもない。
【０１３１】
一方、図８のように、ディスプレイ装置１００でゲームアプリケーションが実行された場合、ディスプレイ装置１００はゲームアプリケーション実行画面８３０をディスプレイする。ディスプレイ装置１００はゲームアプリケーションに対応するＵＩ画面情報を遠隔制御装置２００に伝送する。それにより、遠隔制御装置２００は受信されたＵＩ画面情報に基づいて、動画アプリケーションのコントロールのための各種キーを含むＵＩ画面８２０をディスプレイすることができる。
【０１３２】
例えば、ＵＩ画面８２０は、方向キー８２１、アクションキー８２２、メニューキー８２３及び選択キー８２４を含んでよい。ただ、実施形態によって上述のキーの一部のキーが省略されたり、他のキーが追加されることも可能である。ゲームアプリケーションをコントロールして実行するための多様なタイプのキーが含まれてよい。それにより、遠隔制御装置２００は、ユーザがＵＩ画面８２０上にディスプレイされたキーを選択すると、選択されたキーに対応する動作を行うようにディスプレイ装置１００を制御することができる。例えば、ユーザが方向キー８２１を選択すると、遠隔制御装置２００はゲームアプリケーションの実行画面８１０上で特定客体８１１を選択された方向に移動してディスプレイするようにディスプレイ装置１００を制御することができる。そして、遠隔制御装置２００は、アクションキー８２２が選択されると、特定客体８１１が各アクションキー８２２にマッピングされた動作を行うようにディスプレイ装置１００を制御し、スタートキー８２４が選択されると、ゲームアプリケーションの実行画面が一時中止されるようにディスプレイ装置１００を制御することができる。更に、遠隔制御装置２００は、メニューキー８２３が選択されると、ゲームアプリケーションから提供可能なゲームに対するリスト（図示せず）を実行画面８１０上でディスプレイするようにディスプレイ装置１００を制御することができる。
【０１３３】
ただ、各キーによって行われる機能は一例に過ぎず、実施形態によって上述の機能とは異なる機能が各キーにマッピングされ得る。
【０１３４】
このように、本発明によると、遠隔制御装置２００にディスプレイされるＵＩ画面はディスプレイ装置１００で実行画面がディスプレイされているアプリケーションによって変更されてよい。それにより、遠隔制御装置２００は、全てのアプリケーションを駆動するための別途のキーを含まなくても、ユーザはアプリケーション別にアプリケーションコントロールのためのＵＩ画面をディスプレイする遠隔制御装置２００を介してより手軽にディスプレイ装置１００で実行可能なアプリケーションを制御することができるようになる。
【０１３５】
図９は、本発明の一実施形態に係る遠隔制御装置によって制御可能なディスプレイ装置のユーザインターフェース提供方法を説明するためのフローチャートである。
【０１３６】
まず、ユーザ命令に基づいてアプリケーションを実行する（Ｓ９１０）。
【０１３７】
その後、ディスプレイ装置で実行可能なアプリケーション別にマッピングされたＵＩ画面情報のうち、実行されたアプリケーションに対応するＵＩ画面情報を遠隔制御装置に伝送する（Ｓ９２０）。ここで、ディスプレイ装置は、ディスプレイ装置で実行可能なアプリケーション別にマッピングされたＵＩ画面情報を保存することができる。
【０１３８】
一方、ＵＩ画面情報は、アプリケーションコントロールに必要なキー及びキーの配列情報を含んでよい。ここで、キーの配列情報は、キーのサイズ、位置及び形状のうち、少なくとも１つに関する情報を含んでよい。
【０１３９】
なお、ＵＩ画面情報は、アプリケーションコントロールに必要なキーを含むＵＩ画面イメージ及びイメージを構成するキーに関する情報を含んでよい。ここで、キーに関する情報は、ＵＩ画面イメージに含まれたキーの種類及びＵＩ画面イメージでキーの配置された位置に関する情報を含んでよい。
【０１４０】
一方、ステップＳ９２０において、実行中のアプリケーションが他アプリケーションに変更されると、ディスプレイ装置で実行可能なアプリケーション別にマッピングされたＵＩ画面情報のうち、変更された他アプリケーションに対応するＵＩ画面情報を遠隔制御装置に伝送することができる。
【０１４１】
具体的に、現在実行されているアプリケーションに対する実行が中断されて他アプリケーションが実行され、それによるアプリケーション実行画面がディスプレイされる場合、現在ディスプレイされるアプリケーションに対応するＵＩ画面情報を遠隔制御装置に伝送することができる。なお、以前実行されていたアプリケーションに対する実行が中断されていない状態で、他アプリケーション実行画面がディスプレイされる場合、現在ディスプレイされるアプリケーションに対応するＵＩ画面情報を遠隔制御装置に伝送することができる。
【０１４２】
図１０は、本発明の一実施形態に係るディスプレイ装置を制御する遠隔制御装置のユーザインターフェース提供方法を説明するためのフローチャートである。
【０１４３】
まず、ディスプレイ装置から実行中のアプリケーションに対応するＵＩ画面情報を受信する（Ｓ１０１０）。
【０１４４】
その後、受信されたＵＩ画面情報に基づいて、前記アプリケーションをコントロールするためのＵＩ画面をディスプレイする（Ｓ１０２０）。
【０１４５】
ここで、ＵＩ画面情報は、ディスプレイ装置で実行可能なアプリケーション別にマッピングされた画面情報であってよい。すなわち、ディスプレイ装置は、実行可能なアプリケーション別にＵＩ画面情報を保存し、現在ディスプレイされるアプリケーションに対応するＵＩ画面情報を遠隔制御装置に伝送することができる。それにより、遠隔制御装置は受信されたＵＩ画面情報に基づいて、実行画面がディスプレイ装置で現在ディスプレイされているアプリケーションをコントロールすることができるＵＩ画面を出力することができる。
【０１４６】
具体的に、ＵＩ画面情報はアプリケーションコントロールに必要なキー及びキーの配列情報を含んでよい。ここで、キーの配列情報は、キーのサイズ、位置及び形状のうち少なくも１つに関する情報を含んでよい。
【０１４７】
なお、ＵＩ画面情報は、アプリケーションコントロールに必要なキーを含むＵＩ画面イメージ及びイメージを構成するキーに関する情報を含んでよい。ここで、キーに関する情報は、ＵＩ画面イメージに含まれたキーの種類及びＵＩ画面イメージでキーの配置された位置に関する情報を含んでよい。
【０１４８】
一方、ディスプレイ装置で実行中のアプリケーションが他アプリケーションに変更されると、変更された他アプリケーションに対応するＵＩ画面情報を受信し、受信されたＵＩ画面情報に基づいて他アプリケーションをコントロールするためのＵＩ画面をディスプレイすることができる。
【０１４９】
具体的に、現在実行されているアプリケーションに対する実行が中断され、他アプリケーションが実行され、それによるアプリケーション実行画面がディスプレイされるか、現在実行されているアプリケーションに対する実行が中断されていない状態で他アプリケーション実行画面がディスプレイされる場合、ディスプレイ装置は現在ディスプレイされるアプリケーションに対応するＵＩ画面情報を遠隔制御装置に伝送することができる。それにより、遠隔制御装置は受信されたＵＩ画面情報を用いて、実行画面が現在ディスプレイされるアプリケーションコントロールのためのＵＩ画面をディスプレイすることができる。
【０１５０】
なお、受信されたＵＩ画面情報を保存し、ディスプレイ装置でアプリケーション実行画面が再度ディスプレイされると、保存されたＵＩ画面情報を用いてＵＩ画面をディスプレイすることができる。すなわち、上述の例において、マルチタスキング機能によって複数のアプリケーションが実行中の状態で以前ディスプレイされたアプリケーション実行画面が再度ディスプレイされると、ディスプレイ装置は再度ディスプレイされるアプリケーションに関する情報を遠隔制御装置に伝送することができる。それにより、遠隔制御装置はディスプレイ装置から受信されたアプリケーションに関する情報を用いて、実行画面が現在ディスプレイされるアプリケーションコントロールのためのＵＩ画面をディスプレイすることができる。
【０１５１】
以上のように、本発明によると、遠隔制御装置にディスプレイされるＵＩ画面はディスプレイ装置で実行画面がディスプレイされているアプリケーションによって変更されてよい。それにより、遠隔制御装置が全てのアプリケーションを駆動するための別途のキーを含まなくても、ユーザはアプリケーション別にアプリケーションコントロールのためのＵＩ画面をディスプレイする遠隔制御装置を介してより簡単にディスプレイ装置で実行可能なアプリケーションを制御することができるようになる。
【０１５２】
なお、本発明に係るユーザインターフェース提供方法を順次に行うプログラムが保存された非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１５３】
非一時的な読み取り可能な媒体とは、レジスタやキャッシュ、メモリ等のように短い間だけデータを保存する媒体ではなく、半永久的にデータを保存し、機器によって読み取り（ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１５４】
なお、ディスプレイ装置について示したブロック図においては、バス（ｂｕｓ）を示していないが、ユーザ端末装置で各構成要素間の通信は、バスを介して行われてよい。なお、ユーザ端末装置には、上述の多様なステップを行うＣＰＵ（Ｃｅｎｔｒａｌ  Ｐｒｏｃｅｓｓｉｎｇ  Ｕｎｉｔ）、マイクロプロセッサ等のようなプロセッサが更に含まれてよい。
【０１５５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2016506567.tif 000003
【図２】
2016506567.tif 000004
【図３】
2016506567.tif 000005
【図４】
2016506567.tif 000006
【図５】
2016506567.tif 000007
【図６Ａ】
2016506567.tif 000008
【図６Ｂ】
2016506567.tif 000009
【図７】
2016506567.tif 000010
【図８】
2016506567.tif 000011
【図９】
2016506567.tif 000012
【図１０】
2016506567.tif 000013
【国際調査報告】
2016506567.tif 000014
2016506567.tif 000015